(57)【要約】  【課題】  結露防止能力を向上できるカメラ装置を提供する。  【解決手段】  カメラ１２は、カメラハウジング１４で覆われている。カメラ１２とカメラハウジング１４とが、隙間２２を有した２重構造の撮影窓部１６を形成している。撮影窓部１６の両側には、撮影窓部１６の隙間２２に連通した送風トンネル２４が設けられている。送風トンネル２４を介して撮影窓部１６に送風を行う送風機２６が備えられている。さらに、撮影窓部１６に送る空気を加熱するヒータ２８が送風トンネル２４に備えられている。【選択図】  図１
2005354471.tif 000002
【特許請求の範囲】
【請求項１】
カメラと、前記カメラを覆うカメラハウジングと、送風手段と、を備え、前記カメラと前記カメラハウジングとで隙間を有する２重構造の撮影窓部が形成され、前記撮影窓部の両側には前記撮影窓部の隙間に連通した送風トンネルが設けられており、前記送風手段が前記送風トンネルを介して前記撮影窓部に送風を行うことを特徴とするカメラ装置。
【請求項２】
前記送風トンネルは、前記カメラの外面と前記カメラハウジングの内面とで形成されていることを特徴とする請求項１に記載のカメラ装置。
【請求項３】
前記送風トンネルは、前記カメラの周囲を回る送風路を形成するように設けられていることを特徴とする請求項１または２に記載のカメラ装置。
【請求項４】
前記撮影窓に供給される空気を加熱するためのヒータを備えたことを特徴とする請求項１ないし３のいずれかに記載のカメラ装置。
【請求項５】
温度検出手段と、前記温度検出手段により検出された温度に応じて前記送風手段および前記ヒータを制御する制御手段と、を備えたことを特徴とする請求項４に記載のカメラ装置。
【請求項６】
前記カメラおよび前記カメラハウジングが前記撮影窓部に２重のドームカバーを備えたことを特徴とする請求項１ないし５のいずれかに記載のカメラ装置。
【請求項７】
カメラを覆うように構成されたカメラハウジングであって、
前記カメラと共に隙間を有した２重構造の撮影窓部を形成するカメラハウジング側の窓部材と、
前記撮影窓部の両側に前記撮影窓部の隙間に連通した送風トンネルを形成するトンネル壁部と、
前記送風トンネルを介して前記撮影窓部に送風を行う送風手段と、
を備えたことを特徴とするカメラハウジング。
【発明の詳細な説明】
【技術分野】
【０００１】
本発明は、カメラをハウジングで覆ったカメラ装置に関し、特に、結露を防止できるカメラ装置に関する。
【背景技術】
【０００２】
従来、屋外用の監視カメラ等のカメラ装置では、外部環境温度と、カメラの電子回路等の発熱に影響されたカメラ内部の温度との差から発生する結露を防止することが求められる。結露の防止によって、視界を良好に保つことができる。
【０００３】
従来のカメラ装置は、結露を防止するために、送風機およびヒータをハウジング内に備え、温風を撮影窓部に送っている。また、別の従来技術は、撮影窓部に２重構造の光学ガラスとフィルタとを設け、両者の隙間に窒素ガスを封入し、あるいは、両者の隙間を真空にすることを提案している（特許文献１参照）。
【特許文献１】特開平１０−２８５４５４号公報（第３ページ、図４）
【発明の開示】
【発明が解決しようとする課題】
【０００４】
しかしながら、従来のカメラ装置においては、送風機とヒータだけでは結露防止能力が低く、十分な結露防止効果を得るために比較的大型の送風機とヒータを設ける必要があるという問題があった。また、光学ガラスとフィルタとの隙間に窒素ガスを封入したり、隙間を真空にする場合、隙間部分を密封状態に保つのが容易でなく、そのために高い結露防止能力を得るのが容易でないという問題があった。
【０００５】
本発明は、従来の問題を解決するためになされたものであり、その目的は、結露防止能力を向上できるカメラ装置を提供することにある。
【課題を解決するための手段】
【０００６】
本発明のカメラ装置は、カメラと、前記カメラを覆うカメラハウジングと、送風手段と、を備え、前記カメラと前記カメラハウジングとで隙間を有する２重構造の撮影窓部が形成され、前記撮影窓部の両側には前記撮影窓部の隙間に連通した送風トンネルが設けられており、前記送風手段が前記送風トンネルを介して前記撮影窓部に送風を行うように構成されている。
【０００７】
この構成により、撮影窓部を２重構造にして、２重構造の隙間へ送風トンネル経由で送風を行うので、２重構造の断熱効果と送風による空気の流れの効果とで結露防止能力が得られる。さらに、送風トンネル経由で送風を行うことで、狭い空間を通って空気が供給されるので、撮影窓部の空気の流速が増大し、これにより結露防止能力を向上できる。
【０００８】
また、本発明のカメラ装置において、前記送風トンネルは、前記カメラの外面と前記カメラハウジングの内面とで形成されている。この構成により、送風トンネルを簡単な構成で実現できる。
【０００９】
また、本発明のカメラ装置において、前記送風トンネルは、前記カメラの周囲を回る送風路を形成するように設けられている。この構成により、送風手段から送られる空気が確実に撮影窓部に送られ、送風手段を撮影窓部から離しても高い結露防止能力が得られ、送風手段の位置設定の自由度が増す。また、送風路を使って空気を循環させて、結露防止能力を向上することも可能である。
【００１０】
また、本発明のカメラ装置は、前記撮影窓部に供給される空気を加熱するためのヒータを備えている。この構成により、温風を撮影窓部に送ることができ、温風の加熱効果で結露防止能力をさらに向上できる。
【００１１】
また、本発明のカメラ装置は、温度検出手段と、前記温度検出手段により検出された温度に応じて前記送風手段および前記ヒータを制御する制御手段と、を備えている。この構成により、送風手段とヒータとを制御して、電力の消費を抑えられる。
【００１２】
また、本発明のカメラ装置では、前記カメラおよび前記カメラハウジングが前記撮影窓部に２重のドームカバーを備えている。この構成により、ドームカバー付きのカメラ装置におけるドームカバーの結露を防止できる。
【００１３】
また、本発明の別態様は、カメラを覆うように構成されたカメラハウジングであって、前記カメラと共に隙間を有した２重構造の撮影窓部を形成するハウジング側の窓部材と、前記撮影窓部の両側に前記撮影窓部の隙間に連通した送風トンネルを形成するトンネル壁部と、前記送風トンネルを介して前記撮影窓部に送風を行う送風手段と、を備えている。この構成によっても、上述の本発明の利点が得られる。
【発明の効果】
【００１４】
上記のように、本発明は、撮影窓部を２重構造にして、２重構造の隙間へ送風トンネル経由で送風を行っており、これにより、狭い空間を通って空気が供給されるので撮影窓部の空気の流速が増大し、結露防止能力を向上できるという効果を有するカメラ装置を提供することができる。
【発明を実施するための最良の形態】
【００１５】
以下、本発明の実施の形態のカメラ装置について、図面を用いて説明する。
【００１６】
本発明の実施の形態のカメラ装置の断面図を図１に示す。図１において、カメラ装置１０は、カメラ１２とカメラハウジング１４とを備えており、カメラハウジング１４にカメラ１２が収容されている。
【００１７】
カメラ１２は撮影窓部１６を通して被写体を撮影する。そして、カメラ１２は撮影窓部１６にカメラ側（内側）のドームカバー１８を備え、カメラハウジング１４は撮影窓部１６にハウジング側（外側）のドームカバー２０を備えている。ドームカバー１８とドームカバー２０の間に隙間２２が設けられており、これにより撮影窓部１６が２重構造を有している。
【００１８】
撮影窓部１６の両側には、撮影窓部１６の隙間２２に連通するように送風トンネル２４が設けられている。送風トンネル２４は、カメラ１２の外面とカメラハウジング１４の内面とで形成されている。送風トンネル２４は、前面部分２４ａ、２４ｂと、背面部分２４ｃと、上面部分２４ｄとを有しており、これらの部分が通じている。これにより、送風トンネル２４はカメラ１２の周囲を取り囲むように設けられており、カメラ１２の周りを回る送風路が形成されている。なお、前面部分２４ａ、２４ｂはそれぞれ撮影窓部１６のドームカバーを挟んで上下の部分である。
【００１９】
また、送風トンネル２４内には、送風機２６およびヒータ２８が備えられている。送風機２６およびヒータ２８は、カメラ１２の背面側に配置されている。さらに、送風機２６とヒータ２８を制御する制御回路３０が設けられており、制御回路３０は温度センサ３２および電源装置３４に接続されている。
【００２０】
制御回路３０は、温度センサ３２により検出された温度に基づいて送風機２６およびヒータ２８への電源装置３４からの電力供給を制御し、これにより送風機２６およびヒータ２８のオンオフを制御する。送風機２６のオンによって送風機２６が回ると空気が送風トンネル２４から撮影窓部１６へと送られる。このとき、ヒータ２８のオンによって空気が加熱されて、温風が送られる。
【００２１】
以下、本実施の形態のカメラ装置１０について、詳細な図面を参照してさらに説明する。
【００２２】
図２〜図５は、カメラ装置１０の外観を示しており、図２は斜視図であり、図３は正面図であり、図４および図５は側面図である。また、図６は分解斜視図である。さらに、図７は、図３のドーム中心を通る縦方向の線Ａ−Ａでカメラ装置１０を切断した断面図である。また、図８、図９、図１０は図４を線Ｂ−Ｂ、線Ｃ−Ｃ、線Ｄ−Ｄで切断した断面図である。線Ｃ−Ｃはドーム中心を通りカメラ前面に垂直な方向の線であり、線Ｂ−Ｂ、線Ｄ−Ｄは、線Ｃ−Ｃの両側の平行線である。
【００２３】
既に説明したように、カメラ装置１０においては、カメラ１２がカメラハウジング１４に収容されている。カメラ１２は監視カメラであり、カメラハウジング１４は屋外用のハウジングである。
【００２４】
図６に示されるように、カメラ１２の形状は略三角柱であり、略三角柱の３つの側面がカメラ１２の前面、上面および背面に相当する。そして、カメラ１２は、前面の中央に半球型のドームカバー１８を備えている。ドームカバー１８は、透明な樹脂製である。ドームカバー１８の中には、カメラレンズおよびパンチルト機構が収容されている。
【００２５】
カメラハウジング１４は、２分割構造を有しており、前ハウジング４０と後ハウジング４２とで構成されている。前ハウジング４０と後ハウジング４２は、カメラ１２を挟んだ状態でねじ４４で固定されている。
【００２６】
カメラハウジング１４の前面には、ドームカバー２０が取り付けられている。ドームカバー２０は、透明な樹脂製であり、超音波溶着で前ハウジング４０に固着されており、これにより防水性が確保されている。そして、図７および図９に示されるように、ドームカバー２０とドームカバー１８との間に隙間２２が設けられている。
【００２７】
カメラハウジング１４は、図２に示されるように、ドームカバー２０の上下の両側にトンネル壁部４６、４８を有している。トンネル壁部４６、４８は、カメラハウジング１４が外側に突出した部分であり、トンネル壁部４６、４８ではカメラハウジング１４の内面に凹部が設けられている。
【００２８】
図７、図８および図１０に示されるように、カメラハウジング１４は、トンネル壁部４６、４８の間でカメラ１２の外面と近接している。これにより、トンネル壁部４６、４８の凹部とカメラ１２の外面とで、空気の通路が形成されており、すなわち、送風トンネル２４の前面部分２４ａ、２４ｂが形成されている。前面部分２４ａ、２４ｂはそれぞれドームカバーの上側および下側の部分である。送風トンネル２４の前面部分２４ａ、２４ｂは、それぞれ、ドームカバー２０とドームカバー１８の間の隙間２２の上端および下端に連通している。
【００２９】
また、送風トンネル壁部４６および４８の凹部の深さは、ドームカバー２０とドームカバー１８の間の隙間２２の距離とほぼ等しく設定されている。そして、トンネル壁部４６および４８の凹部の幅は、カメラ側のドームカバー１８の直径と概略等しく設定されている。したがって、前面部分２４ａ、２４ｂでの送風路の断面形状は、ドームカバー２０とドームカバー１８の間の隙間２２に対応するように、薄く、幅の広い形状になっている。これにより、撮影窓部１６の隙間２２の全体へと効率よく空気流が供給される。
【００３０】
次に、送風トンネル２４の背面部分２４ｃの構成を説明する。図６に示されるように、カメラ背面側では、カメラハウジング１４の内面に、縦方向の２本のトンネル壁リブ５０、５２が、横方向に間を開けて設けられている。そして、トンネル壁プレート５４が、２本のトンネル壁リブ５０、５２に接した状態で、ねじ５６で後ハウジング４２に取り付けられている。これにより、後ハウジング４２の内面と、２本のトンネル壁リブ５０、５２とトンネル壁プレート５４との間に、送風トンネル２４の背面部分２４ｃが形成される。
【００３１】
次に、送風トンネル２４の上面部分２４ｄの構成を説明する。図７を参照すると、前ハウジング４０の上面部分の内側には、２本のトンネル壁リブ５８が横方向に間隔を開けて設けられている。トンネル壁リブ５８は、カメラ１２の上面に近接している。これにより、前ハウジング４０の内面と、２本のトンネル壁リブ５８と、カメラ１２の上面との間に、送風トンネル２４の上面部分２４ｄが形成される。２本のトンネル壁リブ５８は、上面の前端から始まり、上面の途中で終わっており、したがって、送風トンネル２４の上面部分２４ｄも上面の途中で終わっている。
【００３２】
上記の送風トンネル２４において、背面部分２４ｃの下端は、前方に折れ曲がり、そして、前面部分２４ｂの下端と連通している。また、前面部分２４ａの上端は、上面部分２４ｄに連通している。これにより、送風トンネル２４は、背面の上端から始まって、下方に下がり、カメラ下端を回り、カメラ前面の下側を上り、ドーム部を通って前面の上側上端に達し、さらに、上面の途中まで達している。
【００３３】
また、背面側のトンネル壁プレート５４の上端（送風トンネル起点）には、空気の吸込口６０が設けられている。吸込口６０は、トンネル壁プレート５４の上端とハウジング内面との間の隙間で構成されている。吸込口６０は、送風トンネル２４の上面部分２４ｄのトンネル終端部と対向している。空気は送風トンネル２４の終端からハウジング内に出て、また、ハウジング内から吸込口６０を通って送風トンネル２４内に入り、こうしてハウジング内および送風トンネル２４内で空気が循環する。
【００３４】
次に、送風機２６およびヒータ２８について説明する。図１に示すように、送風トンネル２４の背面部分２４ｃには、送風機２６とヒータ基板７０が収容されている。送風機２６は、ファンとモータで構成されており、高さ方向の略中央に設けられている（送風機をファンモータと呼んでもよい）。そして、送風機２６は、回転軸が鉛直方向になるように、すなわち、送風トンネル２４ｃに対して送風機の回転面が垂直になるように配置されている。
【００３５】
ヒータ基板７０は、送風機２６を挟んで上下に分かれている。そして、ヒータ基板７０の下側部分にヒータ２８が搭載されている。ヒータ２８は抵抗型のヒータであり、ヒータ基板７０上に配列された複数の抵抗で構成されている。これら抵抗が、電力の供給を受けて発熱する。
【００３６】
さらに、送風トンネル２４の背面部分２４ｃには、制御回路３０、温度センサ３２および電源装置３４（図１参照）がヒータ基板７０と共に、またはヒータ基板７０に搭載された状態で設けられている。電源装置（回路）は、送風機２６およびヒータ２８へ電力を供給する。温度センサ３２の温度検出信号が制御回路３０に入力され、制御回路３０が送風機２６およびヒータ２８への電力供給を制御し、これにより送風機２６およびヒータ２８のオンオフを制御する。
【００３７】
その他、カメラ装置１０には、取付ブラケット８０、８２が設けられている。取付ブラケット８０はカメラハウジング１４の背面に固定されている。また、取付ブラケット８２はカメラ設置箇所に固定される。そして、取付ブラケット８０が取付ブラケット８２に組み合わされ、これによりカメラ装置１０が設置箇所に固定される。また、カメラハウジング１４の下側にはコードカバー８４が取り付けられている。
【００３８】
図１１は、制御回路３０による送風機２６およびヒータ２８の制御処理の例を示している。図の例では、温度が３５度以上のときは、送風機２６およびヒータ２８の両方がオフである。そして、温度が１０度以上、３５度未満のときは、送風機２６のみがオンである。さらに、温度が１０度未満のときは、送風機２６およびヒータ２８の両方がオンである。
【００３９】
次に、カメラ装置１０の組立順序の一例を説明する。図６を参照すると、ドームカバー２０は、組み立て前に前ハウジング４０に超音波溶着で取り付けられている。後ハウジング４２のトンネル壁リブ５０、５２の間に送風機２６およびヒータ基板７０等が取り付けられる。さらに、トンネル壁リブ５０、５２の間の空間を覆うようにトンネル壁プレート５４がねじ５６で後ハウジング４２に取り付けられ、これにより、送風トンネル２４の背面部分２４ｃが形成される。
【００４０】
そして、後ハウジング４２にカメラ１２が取り付けられる。このとき、カメラ１２の背面の壁掛具が、マウントのフック部（図示せず）に引っかけられる。マウントのフック部は、トンネル壁プレート５４の上から後ハウジング４２に取り付けられる。
【００４１】
さらに、前ハウジング４０が後ハウジング４２に合わされ、前ハウジング４０と後ハウジング４２がねじ４４で固定される。これにより、カメラ１２は前ハウジング４０と後ハウジング４２に挟まれ、カメラハウジング１４に収容される。
【００４２】
カメラ１２がカメラハウジング１４に収容されるとき、ドームカバー１８とドームカバー２０が隙間２２を開けて配置され、これにより２重構造の撮影窓部１６が形成される。また、カメラ前面がハウジング内面と近接し、これにより、トンネル壁部４６、４８とカメラ前面との間に送風トンネル２４の前面部分２４ａ、２４ｂが形成される。前面部分２４ｂの下端が、背面部分２４ｃの下端と対向し、両部分が連通する。また、カメラ１２の上面に、前ハウジング４０の上方のトンネル壁リブ５８が近接し、これにより送風トンネル２４の上面部分２４ｄが形成される。上面部分２４ｄは、前面部分２４ａの上端に連通する。
【００４３】
さらに、カメラハウジング１４の下側にコードカバー８４が取り付けられる。また、カメラハウジング１４の背面に取付ブラケット８０が取り付けられる。また、取付ブラケット８２がカメラ設置箇所に取り付けられる。そして、取付ブラケット８０が取付ブラケット８２に取り付けられ、これによりカメラ装置１２が設置箇所に取り付けられる。
【００４４】
次に、本実施の形態のカメラ装置１０の動作を説明する。制御回路３０には、温度センサ３２から温度検出信号が供給されている。制御回路３０は、図１１に示されるように、温度が３５度以上のときは、送風機２６およびヒータ２８への電力供給を停止し、これらをオフにする。
【００４５】
温度が１０度以上、３５度未満のときは、制御回路３０は、送風機２６に電力を供給して、送風機２６をオンにする。これにより、送風が行われる。送風用の空気は、送風トンネル２４の背面部分２４ｃの上端に設けられた吸込口６０から吸い込まれ、背面部分２４ｃを下がり、前面部分２４ｂに至り、さらに、撮影窓部１６に至る。そして、空気流は、ドームカバー２０とドームカバー１８の間の隙間２２を通って、再び送風トンネル２４に入る。さらに、空気は前面部分２４ａの上端から上面部分２４ｄに至る。
【００４６】
送風トンネル２４の上面部分２４ｄはカメラ上面の途中で終わっている。そして、送風トンネル終端部分の先には吸込口６０が位置しており、送風トンネル終端部分と吸込口６０が対向している。したがって、送風トンネル２４を通ってきた空気は、終端部分からハウジング内に広がる。そして、広がった空気はハウジング内から吸込口６０を通って再び送風トンネル２４に入る。こうして空気は送風トンネル２４内を通り、カメラハウジング１４内で循環する。
【００４７】
以上のようにして、送風トンネル２４を経由して撮影窓部１６の２重構造の隙間２２に送風が行われる。２重構造の断熱効果と、送風による空気の流れの効果とで、撮影窓部１６の結露を防止でき、また、結露を短時間で解消できる。狭い空間を通って空気が供給されるので、空気の流速が大きくなり、高い結露防止能力が得られ、結露が生じたとしても短時間で消滅する。
【００４８】
温度が１０度未満のときは、制御回路３０は、送風機２６に加えてヒータ２８にも電力を供給し、したがって、送風機２６とヒータ２８の両方がオンになる。この場合、送風機２６から送られる空気が、ヒータ２８を通過するときに加熱される。これにより、温風がトンネル経由で撮影窓部１６に送られる。
【００４９】
このようにして、２重構造の断熱効果と、送風による空気の流れの効果に加えて、温風による加熱効果が加わり、結露防止能力がさらに増大し、結露が生じたとしても短時間で消滅する。
【００５０】
以上に本発明の実施の形態に係るカメラ装置１０について説明した。本実施の形態によれば、撮影窓部１６が２重構造を有しており、２重構造の隙間２２へトンネル２４経由で送風が行われる。これにより、２重構造の断熱効果と送風による空気の流れの効果とで、結露防止能力が得られる。さらに、トンネル２４経由で送風を行うことで、撮影窓部１６の空気の流速が増大し、これにより結露防止能力を向上できる。
【００５１】
また、本実施の形態によれば、送風トンネル２４がカメラ１２の外面とカメラハウジング１４の内面とで形成されており、これにより、送風トンネルを簡単な構成で実現できる。
【００５２】
また、本実施の形態によれば、送風トンネル２４が、カメラ１２の周囲を回る送風路を形成するように設けられており、これにより、送風機２６から送られる空気が確実に撮影窓部１６に送られ、送風機２６を撮影窓部１６から離しても高い結露効果防止能力が得られ、送風機２６の位置設定の自由度が増す。また、送風路に空気を循環させて、結露防止能力をさらに向上することも可能である。
【００５３】
より詳細には、送風機２６を撮影窓部１６から離しても風量を維持でき、したがって、送風機２６を大型にしないですむ。さらに、本実施の形態のカメラ背面側への設置の例に見られるように、撮影窓部１６から隠れた場所にも送風機２６を配置できる。このことは、送風機２６の設置場所を、撮影の邪魔にならず、小型化等の観点から有利な場所に設定できる点で有利である。ヒータ２８に関しても同様のことがいえる。このように、本実施の形態によれば、カメラ装置１０の小型化も可能である。
【００５４】
また、本実施の形態によれば、撮影窓部１６に供給される空気を加熱するためのヒータ２８を備えたことで、温風を撮影窓部１６に送ることができ、温風の加熱効果で結露防止能力を向上できる。
【００５５】
また、本実施の形態によれば、温度に応じて送風機２６およびヒータ２８を制御しているので、電力の消費を抑えられる。
【００５６】
また、本実施の形態によれば、ドームカバー付きのカメラ装置におけるドームカバーの結露を防止できる。
【００５７】
さらに、本実施の形態によれば、結露防止能力を向上できるので、送風機２６を小型化し、また、ヒータ２８を小型化することが可能となる。
【００５８】
また、本実施の形態によれば、カメラ１２の筐体を活用することにより、上述のようにして結露防止能力を向上できる好適なカメラハウジング１４を提供できる。
【００５９】
なお、本発明は上述の実施の形態に限定されず、当業者が本発明の範囲内で上述の実施の形態を変形可能なことはもちろんである。例えば、送風機とヒータがハウジングの上面に配置され、空気が上側からトンネル経由で撮影窓部に送られてもよい。なお、２本のトンネル壁リブ５８は、上面の前端から始まり、吸込口６０の近傍まで延設し、送風トンネル２４の上面部分２４ｄも吸込口６０の近傍で終わってもよい。
【実施例１】
【００６０】
以下、上記のカメラ装置１０による結露防止能力の実験結果を説明する。実験では、カメラ装置を、−２０度の低温室に３０分間保持した。それから、低温室内で送風機とヒータをオンにした。次に、カメラ装置を低温室から出し、外気（約２５度）の環境におき、急激な温度差を作ることで結露を生じさせた。そして、結露から回復するまでの時間を計測した。ここでは、カメラ装置を低温室から出した時点から結露が消滅するまでの経過時間を計測した。
【００６１】
実験の結果、約１分経過後に結露から回復し、すなわち、結露が消滅した。
【００６２】
比較例として、従来のカメラ装置を使って同じ実験を行った。この場合、結露からの回復に約４分を要した。
【実施例２】
【００６３】
上述の実施例１と同じ実験を行った。ただし、低温室からカメラ装置を取り出し、結露を確認した後に、送風機およびヒータをオンにした。
【００６４】
この場合、約２分１０秒が経過した時に結露から回復した。
【産業上の利用可能性】
【００６５】
以上のように、本発明にかかるカメラ装置は、結露防止能力を向上できるという効果を有し、屋外用監視カメラ装置等として有用である。
【図面の簡単な説明】
【００６６】
【図１】本発明の実施の形態におけるカメラ装置を示す断面図
【図２】カメラ装置の外観の斜視図
【図３】カメラ装置の外観の正面図
【図４】カメラ装置の外観の側面図
【図５】カメラ装置の外観の側面図
【図６】カメラ装置の分解斜視図
【図７】カメラ装置の断面図
【図８】カメラ装置の断面図
【図９】カメラ装置の断面図
【図１０】カメラ装置の断面図
【図１１】送風機およびヒータの制御用のマップを示す図
【符号の説明】
【００６７】
１０  カメラ装置
１２  カメラ
１４  カメラハウジング
１６  撮影窓部
１８  カメラ側のドームカバー
２０  ハウジング側のドームカバー
２２  隙間
２４  送風トンネル
２６  送風機
２８  ヒータ
３０  制御回路
３２  温度センサ
３４  電源装置
【図１】
2005354471.tif 000003
【図２】
2005354471.tif 000004
【図３】
2005354471.tif 000005
【図４】
2005354471.tif 000006
【図５】
2005354471.tif 000007
【図６】
2005354471.tif 000008
【図７】
2005354471.tif 000009
【図８】
2005354471.tif 000010
【図９】
2005354471.tif 000011
【図１０】
2005354471.tif 000012
【図１１】
2005354471.tif 000013